(57)【要約】【課題】インクタンクから記録ヘッドへとインクを導くインクチューブをヘッドユニットの極力低い位置から延出させる。【解決手段】インクジェットプリンター１は、記録ヘッド１６並びに中継アダプター１９及びこれを収容する中継アダプター収容部１７を備えて成るヘッドユニット１５を備えている。中継アダプター１５からはインクチューブ２１が延出し、このインクチューブ２１はハウジング３０に固定部２５、２６で固定されて、外部に設けられたインクタンク３２Ａ〜３２Ｄに向かう。中継アダプター収容部１７の前方側の壁１７において上部には切欠部１７ｂが形成されており、インクチューブ２１の延出部Ｔ１〜Ｔ４は、切欠部１７ｂに配置される。【選択図】図２
2013166302.tif 000002
【特許請求の範囲】
【請求項１】
インクを吐出する記録ヘッドおよびインクが収容されたインク収容部と前記記録ヘッドとを中継する中継部を備え、前記記録ヘッドの走査方向に移動可能な筐体と、
前記インク収容部から送られるインクを前記記録ヘッドへと導く、可撓性を有するインクチューブと、を備え、
前記筐体の周囲を構成する壁には、上部に切欠部が形成されており、
前記インクチューブが、前記切欠部を通って前記筐体の外側に延出している、
ことを特徴とするインクジェット記録装置。
【請求項２】
インクを吐出する記録ヘッドおよびインクが収容されたインク収容部と前記記録ヘッドとを中継する中継部を備え、前記記録ヘッドの走査方向に移動可能な筐体と、
前記インク収容部から送られるインクを前記記録ヘッドへと導く、可撓性を有するインクチューブと、を備え、
前記筐体の周囲を構成する壁には、上部に凹部が形成されており、
前記インクチューブが、前記凹部を通って前記筐体の外側に延出している、
ことを特徴とするインクジェット記録装置。
【請求項３】
インクを吐出する記録ヘッドおよびインクが収容されたインク収容部と前記記録ヘッドとを中継する中継部を備え、前記記録ヘッドの走査方向に移動可能な筐体と、
前記インク収容部から送られるインクを前記記録ヘッドへと導く、可撓性を有するインクチューブと、を備え、
前記筐体の周囲を構成する壁には、上部に段差が形成されており、
前記インクチューブが、前記段差を通って前記筐体の外側に延出している、
ことを特徴とするインクジェット記録装置。
【請求項４】
インクを吐出する記録ヘッドおよびインクが収容されたインク収容部と前記記録ヘッドとを中継する中継部を備え、前記記録ヘッドの走査方向に移動可能な筐体と、
前記インク収容部から送られるインクを前記記録ヘッドへと導く、可撓性を有するインクチューブと、を備え、
前記筐体の周囲を構成する壁には、上部に切欠部が形成されており、
前記インクチューブが、前記切欠部の底辺の上から前記筐体の外側に延出している、
ことを特徴とするインクジェット記録装置。
【請求項５】
請求項１に記載のインクジェット記録装置において、記録が行われた被記録媒体が排出される排出口が設けられた側を装置前方側としたときに、前記壁は、前記筐体の周囲を構成する壁のうち前方側の壁であり、
前記インクチューブが、前記中継部から装置前方側に向かって延出した後、前記ヘッドユニットの移動方向に向かって延びた状態となっている、
ことを特徴とするインクジェット記録装置。
【請求項６】
請求項１に記載のインクジェット記録装置において、前記筐体が、当該筐体からの前記インクチューブの延出方向に前記インクチューブを案内する案内部を備える、
ことを特徴とするインクジェット記録装置。
【請求項７】
請求項１に記載のインクジェット記録装置において、前記インクチューブが、当該インクチューブの前記筐体からの延出方向を規定する規定手段により前記筐体からの延出方向が規定されている、
ことを特徴とするインクジェット記録装置。
【請求項８】
請求項１に記載のインクジェット記録装置において、前記インクチューブを複数本有し、
当該複数本のインクチューブが、上下方向に配列されて前記筐体から延出する、
ことを特徴とするインクジェット記録装置。
【請求項９】
請求項１に記載のインクジェット記録装置において、前記インクチューブを複数本有し、
当該複数本のインクチューブが、水平方向に配列されて前記筐体から延出する、
ことを特徴とするインクジェット記録装置。
【請求項１０】
請求項１に記載のインクジェット記録装置において、前記筐体の移動領域における少なくとも一部の移動領域上部を露呈させる開口部を備えたハウジングを備え、
前記インクチューブを複数本有し、
当該複数本のインクチューブが、前記ハウジングの上面において横方向に配列されて前記ハウジングの上面に固定されている、
ことを特徴とするインクジェット記録装置。
【請求項１１】
請求項１に記載のインクジェット記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項１２】
請求項１に記載のインクジェット記録装置において、前記インクチューブを複数本備えるとともに、当該複数本のインクチューブが結束手段によって結束されている、
ことを特徴とするインクジェット記録装置。
【請求項１３】
請求項１に記載のインクジェット記録装置において、前記筐体に、当該筐体の上部を開閉可能なカバーが設けられている、
ことを特徴とするインクジェット記録装置。
【請求項１４】
請求項１に記載のインクジェット記録装置において、前記中継部に把持部が設けられている、
ことを特徴とするインクジェット記録装置。
【請求項１５】
請求項１４に記載のインクジェット記録装置において、前記切欠部が前記把持部より下方に位置している、
ことを特徴とするインクジェット記録装置。
【請求項１６】
請求項１に記載のインクジェット記録装置において、前記中継部を複数備え、
前記中継部から前記インクチューブが延出する延出部の高さ位置が、複数の前記中継部の間において異なる、
ことを特徴とするインクジェット記録装置。
【請求項１７】
請求項１６に記載のインクジェット記録装置において、複数の前記延出部が、所定方向に向かって順次斜め下に位置している、
ことを特徴とするインクジェット記録装置。
【請求項１８】
請求項１７に記載のインクジェット記録装置において、前記切欠部の底辺が、複数の前記延出部の高さ位置の変化に従って斜め下方に延びている、
ことを特徴とするインクジェット記録装置。
【請求項１９】
請求項１から１８のいずれか１項に記載のインクジェット記録装置において、前記ハウジングの外側に前記インク収容部を備えている、
ことを特徴とするインクジェット記録装置。
【発明の詳細な説明】
【技術分野】
【０００１】
本発明は、ファクシミリやプリンターに代表されるインクジェット記録装置に関し、特に記録ヘッドを備えるとともに所定の移動方向に移動可能なヘッドユニットと、当該ヘッドユニットから独立したインク収容部と、ヘッドユニットとインク収容部との間のインク流路を形成するインクチューブと、を備えたインクジェット記録装置に関する。
【背景技術】
【０００２】
ファクシミリやプリンターに代表される記録装置、その中でも特にインクジェット記録装置には、インクを吐出する記録ヘッドを備えるとともに所定の移動方向に移動可能なヘッドユニット（キャリッジと呼ばれる場合もある）を備えた、所謂シリアル式のインクジェット記録装置がある。
【０００３】
ここで、ヘッドユニットには、インクを収容するインク収容部（以下では適宜「インクカートリッジ」と言う）を搭載するものと、インクカートリッジを搭載しないものとがある。
【０００４】
ヘッドユニットにインクカートリッジを搭載するものは、ヘッドユニットはインクカートリッジを搭載した状態で所定方向に往復動し、ヘッドユニット内部で、インクカートリッジから記録ヘッドへとインクが供給される。インクカートリッジを搭載しないものは、インクカートリッジがヘッドユニットから独立して設けられ、インクカートリッジとヘッドユニット（記録ヘッド）とは、インク供給用のインクチューブによって連通される（例えば、特許文献１）。
【先行技術文献】
【特許文献】
【０００５】
【特許文献１】特開２０１０−１３１８９３号公報
【発明の概要】
【発明が解決しようとする課題】
【０００６】
インクチューブは或る程度の長さを有しており、装置内部で他の構成要素の邪魔にならない様に引き回され、適宜の場所で固定されている。  
しかし、ヘッドユニットにおいてインクチューブが延出する位置が高い位置にあり、そしてヘッドユニットから延出して引き回されるインクチューブが前記延出する位置より低い位置にあると、水頭差の原理によってインクを前記延出する位置まで引き揚げる為に必要なエネルギーが多く必要となる。従ってヘッドユニットにおいてインクチューブが延出する位置は、極力低い部分に設けられることが好ましいが、従来のインクジェットプリンターでは必ずしも上記課題については考慮されていなかった。
【０００７】
そこで本発明はこの様な状況に鑑みなされたものであり、その目的は、インクチューブをヘッドユニットの極力低い位置から延出させることにある。
【課題を解決するための手段】
【０００８】
上記課題を解決する為の、本発明の第１の態様に係るインクジェット記録装置は、インクを吐出する記録ヘッドおよびインクが収容されたインク収容部と前記記録ヘッドとを中継する中継部を備え、前記記録ヘッドの走査方向に移動可能な筐体と、前記インク収容部から送られるインクを前記記録ヘッドへと導く、可撓性を有するインクチューブと、を備え、前記筐体の周囲を構成する壁には、上部に切欠部が形成されており、前記インクチューブが、前記切欠部を通って前記筐体の外側に延出していることを特徴とする。
【０００９】
本態様によれば、記録ヘッドを備える筐体の周囲を構成する壁には、上部に切欠部が形成されており、インクチューブが、前記切欠部を通って前記筐体の外側に延出しているので、前記インクチューブをより低い位置で前記中継部から延出させることができ、記録ヘッドへのインク供給の観点でより好ましい構成を構築できる。
【００１０】
本発明の第２の態様に係るインクジェット記録装置は、インクを吐出する記録ヘッドおよびインクが収容されたインク収容部と前記記録ヘッドとを中継する中継部を備え、前記記録ヘッドの走査方向に移動可能な筐体と、前記インク収容部から送られるインクを前記記録ヘッドへと導く、可撓性を有するインクチューブと、を備え、前記筐体の周囲を構成する壁には、上部に凹部が形成されており、前記インクチューブが、前記凹部を通って前記筐体の外側に延出していることを特徴とする。
【００１１】
本態様によれば、記録ヘッドを備える筐体の周囲を構成する壁には、上部に凹部が形成されており、インクチューブが、前記凹部を通って前記筐体の外側に延出しているので、前記インクチューブをより低い位置で前記中継部から延出させることができ、記録ヘッドへのインク供給の観点でより好ましい構成を構築できる。
【００１２】
本発明の第３の態様に係るインクジェット記録装置は、インクを吐出する記録ヘッドおよびインクが収容されたインク収容部と前記記録ヘッドとを中継する中継部を備え、前記記録ヘッドの走査方向に移動可能な筐体と、前記インク収容部から送られるインクを前記記録ヘッドへと導く、可撓性を有するインクチューブと、を備え、前記筐体の周囲を構成する壁には、上部に段差が形成されており、前記インクチューブが、前記段差を通って前記筐体の外側に延出していることを特徴とする。
【００１３】
本態様によれば、記録ヘッドを備える筐体の周囲を構成する壁には、上部に段差が形成されており、インクチューブが、前記段差を通って前記筐体の外側に延出しているので、前記インクチューブをより低い位置で前記中継部から延出させることができ、記録ヘッドへのインク供給の観点でより好ましい構成を構築できる。
【００１４】
本発明の第４の態様に係るインクジェット記録装置は、インクを吐出する記録ヘッドおよびインクが収容されたインク収容部と前記記録ヘッドとを中継する中継部を備え、前記記録ヘッドの走査方向に移動可能な筐体と、前記インク収容部から送られるインクを前記記録ヘッドへと導く、可撓性を有するインクチューブと、を備え、前記筐体の周囲を構成する壁には、上部に切欠部が形成されており、前記インクチューブが、前記切欠部の底辺の上から前記筐体の外側に延出していることを特徴とする。
【００１５】
本態様によれば、記録ヘッドを備える筐体の周囲を構成する壁には、上部に切欠部が形成されており、インクチューブが、前記切欠部の底辺の上から前記筐体の外側に延出しているので、前記インクチューブをより低い位置で前記中継部から延出させることができ、記録ヘッドへのインク供給の観点でより好ましい構成を構築できる。
【００１６】
本発明の第５の態様は、第１の態様において、記録が行われた被記録媒体が排出される排出口が設けられた側を装置前方側としたときに、前記壁は、前記筐体の周囲を構成する壁のうち前方側の壁であり、前記インクチューブが、前記中継部から装置前方側に向かって延出した後、前記ヘッドユニットの移動方向に向かって延びた状態となっている、ことを特徴とする。
【００１７】
本発明の第６の態様は、第１の態様において、前記筐体が、当該筐体からの前記インクチューブの延出方向に前記インクチューブを案内する案内部を備える、ことを特徴とする。
【００１８】
本発明の第７の態様は、第１の態様において、前記インクチューブが、当該インクチューブの前記筐体からの延出方向を規定する規定手段により前記筐体からの延出方向が規定されている、ことを特徴とする。
【００１９】
本発明の第８の態様は、第１の態様において、前記インクチューブを複数本有し、当該複数本のインクチューブが、上下方向に配列されて前記筐体から延出する、ことを特徴とする。
【００２０】
本発明の第９の態様は、第１の態様において、前記インクチューブを複数本有し、当該複数本のインクチューブが、水平方向に配列されて前記筐体から延出する、ことを特徴とする。
【００２１】
本発明の第１０の態様は、第１の態様において、前記筐体の移動領域における少なくとも一部の移動領域上部を露呈させる開口部を備えたハウジングを備え、前記インクチューブを複数本有し、当該複数本のインクチューブが、前記ハウジングの上面において横方向に配列されて前記ハウジングの上面に固定されている、ことを特徴とする。
【００２２】
本発明の第１１の態様は、第１の態様において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、ことを特徴とする。
【００２３】
本発明の第１２の態様は、第１の態様において、前記インクチューブを複数本備えるとともに、当該複数本のインクチューブが結束手段によって結束されている、ことを特徴とする。
【００２４】
本発明の第１３の態様は、第１の態様において、前記筐体に、当該筐体の上部を開閉可能なカバーが設けられていることを特徴とする。
【００２５】
本発明の第１４の態様は、第１の態様において、前記中継部に把持部が設けられている
ことを特徴とする。
【００２６】
本発明の第１５の態様は、第１４の態様において、前記切欠部が前記把持部より下方に位置していることを特徴とする。
【００２７】
本発明の第１６の態様は、第１の態様において、前記中継部を複数備え、前記中継部から前記インクチューブが延出する延出部の高さ位置が、複数の前記中継部の間において異なることを特徴とする。
【００２８】
本発明の第１７の態様は、第１６の態様において、複数の前記延出部が、所定方向に向かって順次斜め下に位置していることを特徴とする。
【００２９】
本発明の第１８の態様は、第１７の態様において、前記切欠部の底辺が、複数の前記延出部の高さ位置の変化に従って斜め下方に延びていることを特徴とする。
【００３０】
本発明の第１９の態様は、第１から第１８の態様のいずれかにおいて、前記ハウジングの外側に前記インク収容部を備えていることを特徴とする。
【図面の簡単な説明】
【００３１】
【図１】本発明の第１実施形態に係るインクジェットプリンターの外観斜視図。
【図２】本発明の第１実施形態に係るインクジェットプリンターの、ヘッドユニットの拡大斜視図。
【図３】本発明の第２実施形態に係るインクジェットプリンターの、ヘッドユニットの拡大斜視図。
【図４】本発明の第３実施形態に係るインクジェットプリンターの、ヘッドユニットの拡大斜視図。
【図５】本発明の第４実施形態に係るインクジェットプリンターの、ヘッドユニットの拡大斜視図。
【図６】（Ａ）、（Ｂ）、（Ｃ）はガイド部材を側面視した際のインクチューブの固定方法のバリエーションを示す図。
【図７】（Ａ）、（Ｂ）、（Ｃ）はガイド部材を側面視した際のインクチューブの固定方法のバリエーションを示す図。
【発明を実施するための形態】
【００３２】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００３３】
図１は、本発明に係るインクジェット記録装置の一例としてのインクジェットプリンターの第１実施形態を示す外観斜視図であり、図２はヘッドユニット１５Ａの拡大斜視図である。また図３は本発明の第２実施形態に係るインクジェットプリンターにおける、ヘッドユニット１５Ｂの外観斜視図、図４は本発明の第３実施形態に係るインクジェットプリンターにおける、ヘッドユニット１５Ｃの外観斜視図、図５は本発明の第４実施形態に係るインクジェットプリンターにおける、ヘッドユニット１５Ｄの外観斜視図である。  
更に図６（Ａ）、（Ｂ）、（Ｃ）及び図７（Ａ）、（Ｂ）、（Ｃ）はガイド部材を側面視した際のインクチューブ２１の固定方法のバリエーションを示す図である。尚、全ての図において図面上方向が鉛直上方向である。
【００３４】
以下、図１及び図２を参照しつつインクジェットプリンターの全体構成について概説する。  
図１において、インクジェットプリンター１は、媒体の一例としての記録用紙にインクジェット記録を行う記録装置であり、装置本体２の外観が、ハウジング（筐体）３０により構成されている。
【００３５】
ハウジング３０の上部には開口部（開口領域）３０ａが形成されている。この開口部３０ａは、後述するヘッドユニット１５Ａの移動領域における少なくとも一部の移動領域上部を露呈させる開口である。ヘッドユニット１５Ａは、移動領域の右端（図１）或いは左端に位置する際は、その上部の一部がハウジング３０の下側に隠れるが、移動領域の右端或いは左端から中央側に移動することにより、上部の全部が露呈する。
【００３６】
開口部３０ａにはカバー３が開閉可能に設けられており、カバー３を開くことにより、紙ジャムが生じた際のジャム処理作業（用紙の取り除き作業）を、開口部３０ａを介して行える様になっている。尚、本実施形態ではカバー３が設けられているが、カバー３を設けずに、開口部３０ａを開放したままの状態としても良い。
【００３７】
装置後方側には用紙を給送する給送部（詳細不図示）が設けられており、符号１２は用紙を差し入れる差し込み口である給紙口を示している。この給紙口１２の内部には、セットされた用紙を給送する給送ローラー（不図示）が設けられている。尚、符号１３は用紙幅方向に変位可能に設けられた、用紙側端をガイドするエッジガイドを示している。
【００３８】
装置前方側には記録が行われた用紙が排出される排紙口５が構成されており、この排紙口５の下側には排出された用紙を受ける排紙受けトレイ６が設けられている。排紙受けトレイ６は引き出し式に構成され、図１は収納された状態を示している。  
装置上面において符号９は、電源ボタンや各種印刷設定・記録実行を行う操作ボタン、印刷設定内容や印刷画像のプレビュー表示などを行う表示部、等を備えて成る操作パネルである。
【００３９】
装置内部において符号１５Ａはヘッドユニット（キャリッジと呼ばれる場合もある）であり、このヘッドユニット１５Ａの底部にインクを吐出する記録ヘッド１６が設けられている。ヘッドユニット１５Ａが用紙幅方向に移動する過程において記録ヘッド１６からインクが吐出されることにより、用紙に記録が実行される。
【００４０】
続いて、記録ヘッド１６へインクを供給するインク供給系について説明する。本実施形態に係るヘッドユニット１５Ａはインクカートリッジを搭載しておらず、ハウジング３０の側面に取り付けられたインクタンク３２（３２Ａ〜３２Ｄ）から、インク流路を形成する流路形成部材としてのインクチューブ２１（２１Ａ〜２１Ｄ）を介して、記録ヘッド１６へとインクを供給する様に構成されている。
【００４１】
より詳しくは、インクタンク３２Ａ〜３２Ｄは、それぞれ異なる色のインクを収容するインク収容部であり、例えばインクタンク３２Ａはブラック（ＢＫ）のインクを、インクタンク３２Ｂはイエロー（Ｙ）のインクを、インクタンク３２Ｃはマゼンタ（Ｍ）のインクを、インクタンク３２Ｄはシアン（Ｃ）のインクを、それぞれ収容する。
【００４２】
インクチューブ２１Ａ〜２１Ｄは可撓性を有するチューブであり、インクタンク３２Ａ〜３２Ｄから記録ヘッド１６に至るインク流路を形成する。尚、ヘッドユニット１５Ａは、中継アダプター収容部１７が筐体を構成し、この中継アダプター収容部（筐体）１７により本体が構成されており、この中継アダプター収容部１７に、各インク色に対応した「中継部」としての中継アダプター１９Ａ〜１９Ｄが収容されている。
【００４３】
中継アダプター１９Ａ〜１９Ｄは、記録ヘッド１６とインクタンク３２Ａ〜３２Ｄとを中継するアダプターであり、インクチューブ３２Ａ〜３２Ｄは、それぞれ中継アダプター１９Ａ〜１９Ｄに接続されている。換言すれば、中継アダプター１９Ａ〜１９Ｄから、ヘッドユニット１５Ａの外側にインクチューブ３２Ａ〜３２Ｄが延出した状態となっている。尚、中継アダプター１９Ａ〜１９Ｄの上部前方側（後述する切欠部１７ｂより上方）には凹凸形状により構成された把持部（グリップ部）１８が形成されており、中継アダプター１９Ａ〜１９Ｄの装着及び取り外し作業時に把持する性の容易性が確保されている。但し、中継アダプター１９Ａ〜１９Ｄは、ヘッドユニット１５Ａに対し着脱可能に構成しても、或いは固定的に設けても、いずれであっても構わない。
【００４４】
尚、以下ではインクタンク３２Ａ〜３２Ｄを特に区別する必要の無い場合には「インクタンク３２」と呼び、同様にインクチューブ２１Ａ〜２１Ｄを特に区別する必要の無い場合には「インクチューブ２１」と呼び、中継アダプター１９Ａ〜１９Ｄを特に区別する必要の無い場合には「中継アダプター１９」と呼ぶこととする。
【００４５】
■■■第１実施形態■■■
以下、インクチューブ２１のヘッドユニット１５Ａからの延出形態について説明する。各実施形態において共通する特徴として、インクチューブ２１は、中継アダプター収容部１７の周囲を構成する壁１７ａの上部に形成された切欠部１７ｂを通ってヘッドユニット１５Ａの外側に延出する。
【００４６】
より詳しくは、図２において中継アダプター収容部１７の周囲を構成する壁のうち、本実施形態では前方側の壁１７ａ、即ち排紙口５が形成された側を装置前方側とした際に中継アダプター収容部１７の前方側の壁１７ａの、上部に切欠部１７ｂが形成されている。
【００４７】
切欠部１７ｂは、複数収容された中継アダプター１９Ａ〜１９Ｄの前方側の面をより多く下側まで露呈させる様に切り欠かれている。そしてこの切欠部１７ｂを通って（切欠部１７ｂの底辺の上を通って）、インクチューブ２１がヘッドユニット１５Ａの外側（中継アダプター収容部１７の外側）に延出した状態となっている。符号Ｔ１〜Ｔ２は、中継アダプター１９Ａ〜１９Ｄのそれぞれにおいてインクチューブ２１が延出する延出位置（延出部）を示している。尚、切欠部１７ｂは、凹状に形成されていることから凹部と言うこともでき、或いは段差とも言うこともできる。
【００４８】
インクチューブ２１は、より具体的には中継アダプター１９から装置前方側に向かって延出した後、記録ヘッド１６の走査方向（ヘッドユニット１５Ａの移動方向）に向かって延びている。
【００４９】
以上の構成により、以下の作用効果が得られる。即ち、ヘッドユニット１５Ａにおいてインクチューブ２１が延出する延出位置Ｔ１〜Ｔ４が高く、そしてヘッドユニット１５Ａから延出して引き回されるインクチューブ２１が延出位置Ｔ１〜Ｔ４より低い位置にあると、水頭差の原理によってインクを延出位置Ｔ１〜Ｔ４まで引き揚げる為に必要なエネルギーが多く必要となる。従って延出位置Ｔ１〜Ｔ４は、極力低い部分に設けられることが好ましい。
【００５０】
そして本実施形態においては、上述の様に中継アダプター収容部１７の壁１７ａの上部に切欠部１７ｂが形成されており、延出位置Ｔ１〜Ｔ４が切欠部１７ｂを利用して配置されているので、延出位置Ｔ１〜Ｔ４を低い位置に配置することができ、インク供給の観点でより好ましいヘッドユニット１５Ａを構成することができる。
【００５１】
尚、延出位置Ｔ１〜Ｔ４が切欠部１７ｂを利用しているとは、インクチューブ２１が全て切欠部１７ｂの内側から延出している形態のみならず、一部が切欠部１７ｂを利用している形態も含む意味である。例えば、インクチューブ２１の外径のうち少なくとも一部が切欠部１７ｂに入り込んでいれば、インクチューブ２１は切欠部１７ｂを利用して延出していることとなる。或いは、複数本のインクチューブ２１Ａ〜２１Ｄのうち少なくとも１本が切欠部１７ｂを利用して延出していれば、インクチューブ２１は切欠部１７ｂを利用して延出していることとなる。
【００５２】
尚、本実施形態では、ヘッドユニット１５Ａから延出したインクチューブ２１は、ヘッドユニット１５Ａの近傍で結束部材２７により上下方向に配列された状態で結束される。そして、インクチューブ２１はハウジング３０の前面上部の壁３０ｂに対し上下方向に配列された状態で固定部２５により固定される。
【００５３】
またインクチューブ２１は、ハウジング３０の左上面において固定部２６により横方向に配列された状態でハウジング３０の左上面に固定され、インクタンク３２へと向かう。従って固定部２６は、インクチューブ２１の配列方向を縦方向から横方向に変換する配列変換部を構成する。或いは、固定部２５は、インクチューブの配列方向を横方向から縦方向に変換する配列変換部を構成する。
【００５４】
また、本実施形態においてインクチューブ２１は、固定部２５とヘッドユニット１５Ａ（より具体的には中継アダプター１９）との間におけるインクチューブ２１の引き回し区間Ｃ１において、ヘッドユニット１５Ａの移動動作に伴って変形する様になっている。インクタンク３２と固定部２５との間におけるインクチューブ２１の引き回し区間Ｃ２では、ヘッドユニット１５Ａの移動動作に伴う変形は殆ど生じない。
【００５５】
尚、本実施形態ではインクチューブ２１は開口部３１ａの左側（装置前方側から見て左側）からハウジング３０の外に出ているが、開口部３１ａの右側からハウジング３０の外に出ても良い。この場合、インクタンク３２は装置右側に取り付けても良い。
【００５６】
■■■第２実施形態■■■
続いて図３を参照しつつ第２実施形態に係るヘッドユニット１５Ｂについて説明する。本実施形態に係るヘッドユニット１５Ｂが上述した第１実施形態と異なるのは、中継アダプター収容部１７の側面にガイド部材２０を備え、このガイド部材２０に対しインクチューブ２１が固定される点である。尚、ヘッドユニット１５Ｂを除く他のプリンターの構造は、上述した第１実施形態と同様である（以降説明する他の実施形態でも同様）。
【００５７】
ガイド部材２０は中継アダプター収容部１７の前方側の壁１７ａよりもやや前方側に突出する様に、中継アダプター収容部１７の側面に取り付けられており、インクチューブ２１は、ガイド部材２０の先端に、縦方向に配列された状態で固定される。符号３４はインクチューブ２１をガイド部材２０に固定する固定手段の一例である接着テープを示しており、インクチューブ２１は、ガイド部材２０の先端に、接着テープ３４により固定される。
【００５８】
以上により、ガイド部材２０は、インクチューブ２１をチューブ延出方向（本実施形態では、ヘッドユニット１５Ｂの移動方向）に案内する案内部として機能する。或いは、ガイド部材２０は、インクチューブ２１のヘッドユニット１５Ｂからの延出方向を規定する規定手段として機能する。
【００５９】
■■■第３実施形態■■■
続いて図４を参照しつつ第３実施形態に係るヘッドユニット１５Ｃについて説明する。本実施形態に係るヘッドユニット１５Ｃが上述した第１、第２実施形態と異なるのは、中継アダプター収容部１７の上部に中継アダプター収容部１７の上方を開閉可能なカバー２２が設けられている点である。このカバー２２は、軸２２ａ（図４では、中継アダプター収容部１７の両側に設けられた軸２２ａのうち、一方側が示されている）を中心に回動可能に設けられており、回動することにより、中継アダプター収容部１７の上方を開閉する。これにより中継アダプター収容部１７の内部への塵埃等の侵入が抑制される。
【００６０】
■■■第４実施形態■■■
続いて図５を参照しつつ第４実施形態に係るヘッドユニット１５Ｄについて説明する。本実施形態に係るヘッドユニット１５Ｄが上述した第１〜第３実施形態と異なるのは、第１に中継アダプター１９Ａ’〜１９Ｄ’のそれぞれにおいてインクチューブ２１が延出する延出位置（延出部）Ｔ１’〜Ｔ４’が、図の右方に向かって順次斜め下に位置している。
【００６１】
そして本実施形態に係るヘッドユニット１５Ｄが上述した第１〜第３実施形態と異なるのは、第２に中継アダプター収容部１７’の前方側の壁１７ａ’に形成された切欠部１７ｂ’の底辺が、延出位置Ｔ１’〜Ｔ４’の高さ位置の変化に従って斜め下方に下がる傾斜面となっている。以上の様に構成されたことにより、インクチューブ２１を縦方向に配列した状態で延出させる際に、複数本のインクチューブ２１が重ならず、自然に延出させることができる。
【００６２】
■■■構成要素のバリエーション■■■
以上説明した各実施形態は一例であり、本発明はこれら各実施形態に限られない。例えば、以上説明し各実施形態における各構成要素は、以下の様なバリエーションを取りうる。但し、以下のバリエーションは一例であり、本発明が以下に記載されたバリエーションに限定されないことは言うまでもない。
【００６３】
（１）複数本のインクチューブ２１を結束する結束部材２７（図２）には、紐、ゴムバンド、クリップ等、種々のものを採用できる。またインクチューブ２１は、図２に示した位置のほか、適宜の場所で結束することができる。
【００６４】
（２）インクチューブ２１をガイド部材２０に固定する際の固定手段には、図３に示した接着テープ３４のほか、両面テープや接着剤などによるその他の接着固定、紐、ゴムバンドなどによる固定、クリップ、その他部材を利用した固定、など種々の固定方法を用いることができる。
【００６５】
図６（Ａ）〜（Ｃ）はその一例を示すものである。図６（Ａ）は上述した様にインクチューブ２１を接着テープ３４によりガイド部材２０に固定する例であり、図６（Ｂ）は接着剤（又は両面テープ）３５によりインクチューブ２１をガイド部材２０に固定する例である。また、図６（Ｃ）に示すガイド部材２０’は凹部２０ａが形成されており、この凹部２０ａにインクチューブ２１が収容されるとともに、蓋部材３６によってインクチューブ２１が保持された状態となっている。
【００６６】
図７（Ａ）〜（Ｃ）は、ガイド部材にインクチューブ２１を横配列する例であり、図７（Ａ）はインクチューブ２１を接着テープ３４によりガイド部材２００に横配列状態で固定する例であり、図７（Ｂ）は接着剤（又は両面テープ）３５によりインクチューブ２１をガイド部材２００に横配列状態で固定する例である。また、図７（Ｃ）に示すガイド部材２００’は、上部に先端に凹部２００ａが形成されており、この凹部２００ａにインクチューブ２１が横配列状態で収容されるとともに、蓋部材３６によってインクチューブ２１が保持された状態となっている。
【００６７】
（３）上記各実施形態では、吐出するインクを収容したインクタンク３２Ａ〜３２Ｄをインクジェットプリンター本体の側面に配置しているが、インクジェットプリンター本体の側面から離して配置しても良い。また、インクタンク３２Ａ〜３２Ｄの配置位置は、インクジェットプリンター本体の側方のみならず、前方や後方など、適宜の場所に設定できる。
【００６８】
（４）図１、図２に示した第１実施形態において、切欠部１７ｂが形成された壁１７ａは、中継アダプター収容部１７の前方側の壁であるが、後方側の壁や、左右の壁を利用しても良い。
【００６９】
（５）図３に示した第２実施形態において、インクチューブ２１は、ガイド部材２０を用いずに中継アダプター収容部１７の壁（例えば前方側の壁１７ａ）に直接固定しても良い。このとき、固定手段としては、接着テープ、接着剤、その他種々のものを利用でき、この場合固定手段が、インクチューブ２１のヘッドユニット１５Ｂからの延出方向を規定する規定手段として機能する。
【符号の説明】
【００７０】
１  インクジェットプリンター、２  装置本体、３  カバー、５  排紙口、６  排紙受けトレイ、９  操作部、１２  給紙口、１３  エッジガイド、１５Ａ〜１５Ｄ  ヘッドユニット、１６  記録ヘッド、１７  中継アダプター収容部、１７ａ  壁（前方側）、１７ｂ  凹部、１９Ａ〜１９Ｄ  中継アダプター、２０、２００  ガイド部材、２０ａ、２００ａ  凹部、２１（２１Ａ〜２１Ｄ）  インクチューブ、２５  固定部、２６  固定部、２７  結束部、３０  ハウジング、３０ａ  開口部、３０ｂ  壁、３２Ａ〜３２Ｄ  インクタンク、３４  接着テープ、３５  接着剤（又は両面テープ）、３６  蓋部材
【図１】
2013166302.tif 000003
【図２】
2013166302.tif 000004
【図３】
2013166302.tif 000005
【図４】
2013166302.tif 000006
【図５】
2013166302.tif 000007
【図６】
2013166302.tif 000008
【図７】
2013166302.tif 000009